(57)【要約】      （修正有）【課題】アクセサリーをカメラ本体から十分な距離を離してカメラ本体に取り付けることができるカメラシュー延長装置を提供する。【解決手段】マイクロフォン装置２は、マイクロフォンユニット３と、取付け装置４とを備える。取付け装置４は、カメラシュー装着部６２を備える。カメラシュー延長装置１１は、支持アーム４１と、支持アーム４１の後端に取り付けられたカメラシュー装着部４２とを備える。支持アーム４１は、後端よりも先端の方が高い位置になるように円弧状をしている。支持アーム４１の先端に形成されたシュー４５には、取付け装置４のカメラシュー装着部６２が装着される。カメラシュー延長装置１１のカメラシュー装着部４２は、デジタルカメラ８のカメラシュー２７に装着される。【選択図】図２
0003187195.tif 000002
【実用新案登録請求の範囲】
【請求項１】
支持アームと、
前記支持アームの一端の下面に設けられ、デジタルカメラのカメラシューに着脱自在に装着されるカメラシュー装着部と、
前記支持アームの他端の上面に形成され、アクセサリーを着脱自在に保持するためのシューと、
を備えることを特徴とするカメラシュー延長装置。
【請求項２】
前記一端よりも前記他端の方が高い位置になるように、前記支持アームが円弧状をしていることを特徴とする請求項１記載のカメラシュー延長装置。
【請求項３】
前記カメラシュー装着部は、
前記カメラシューに挿入される脚部と、
前記脚部との間で前記カメラシューを挟持する挟持リングと、
を備えることを特徴とする請求項１または２記載のカメラシュー延長装置。
【請求項４】
前記支持アームは、
前記カメラシュー装着部が設けられた第１アームと、
前記シューが形成され、前記第１アーム部にスライド自在に取り付けられる第２アームと、
を備えることを特徴とする請求項１ないし３いずれか１項記載のカメラシュー延長装置。
【請求項５】
前記カメラシュー装着部は、前記支持アームに回転自在に取り付けられていることを特徴とする請求項１ないし４いずれか１項記載のカメラシュー延長装置。
【考案の詳細な説明】
【技術分野】
【０００１】
本考案は、アクセサリーを保持してデジタルカメラのカメラシューに着脱自在に取り付けられるカメラシュー延長装置に関するものである。
【背景技術】
【０００２】
デジタルカメラのカメラ本体には、カメラシューが取り付けられており、フラッシュ装置や、マイクロフォン装置などのアクセサリーを着脱自在に取り付けることが可能になっている。例えば、特許文献１及び２には、カメラシューにマイクロフォン装置を着脱自在に取り付けることが記載されている。
【先行技術文献】
【特許文献】
【０００３】
【特許文献１】実開平０２−０５１４９４号公報
【特許文献１】実公平０７−００３７５０号公報
【考案の概要】
【考案が解決しようとする課題】
【０００４】
カメラやレンズ装置には、各種のモータが取り付けられているため、撮影中にモータの作動音やモータで駆動される部材の移動音等が発生する。これらの作動音等を確実に避けるためには、マイクロフォン装置をカメラ本体から十分に離すことが必要である、しかし、特許文献１及び２では、カメラ本体上のカメラシューに、マイクロフォン装置を取り付けているため、マイクロフォン装置をカメラ本体から十分に離すことができない。
【０００５】
また、フラッシュ装置では、撮影レンズとの距離が近い場合には、人物の目が赤くなる、いわゆる赤目現象が発生することが知られている。この赤目現象を避けるには、フラッシュ装置をカメラ本体から離せばよいが、フラッシュ装置は、カメラ本体のカメラシュー上に装着されるため、やはりフラッシュ装置をカメラ本体から十分に離すことができない。
【０００６】
本考案は、上記課題を鑑みてなされたものであり、アクセサリーをカメラ本体から十分な距離を離してカメラ本体に取り付けることができるカメラシュー延長装置を提供することを目的とする。
【課題を解決するための手段】
【０００７】
上記目的を達成するため、本考案のカメラシュー延長装置は、支持アームと、支持アームの一端の下面に設けられ、デジタルカメラのカメラシューに着脱自在に装着されるカメラシュー装着部と、支持アームの他端の上面に形成され、アクセサリーを着脱自在に保持するためのシューと、を備える。
【０００８】
また、一端よりも他端の方が高い位置になるように、支持アームが円弧状をしていることが好ましい。
【０００９】
さらに、カメラシュー装着部は、カメラシューに挿入される脚部と、脚部との間でカメラシューを挟持する挟持リングと、を備えることが好ましい。
【００１０】
また、支持アームは、カメラシュー装着部が設けられた第１アームと、シューが形成され、第１アーム部にスライド自在に取り付けられる第２アームと、を備えることが好ましい。
【００１１】
さらに、カメラシュー装着部は、支持アームに回転自在に取り付けられているカことが好ましい。
【考案の効果】
【００１２】
本考案によれば、デジタルカメラのカメラシューに一端が装着された支持アームの他端で、アクセサリーを着脱自在に保持するから、アクセサリーをカメラ本体から十分な距離を離してカメラ本体に取り付けることができる。これにより、マイクロフォン装置を支持アームに取り付けた場合には、撮影中のモータ作動音等をマイクロフォン装置で集音することがなく、高品質な録音を行うことができる。また、フラッシュ装置を支持アームに取り付けた場合には、赤目現象を防止することができる。
【図面の簡単な説明】
【００１３】
【図１】カメラシュー延長装置を介してマイクロフォン装置をデジタルカメラに取り付けた状態の斜視図である。
【図２】カメラシュー延長装置をデジタルカメラから取り外した状態を示す斜視図である。
【図３】カメラシュー延長装置を示す斜視図である。
【図４】分解したカメラシュー装着部を示す斜視図である。
【図５】マイクロフォン装置とカメラシュー延長装置とを示す断面図である。
【図６】分解したカメラシュー装着部を示すＡ１−Ａ１断面図である。
【図７】支持アームと分解したカメラシュー装着部とを示すＡ２−Ａ２断面図である。
【図８】支持アームを第１アームと第２アームとから構成した実施形態の支持アームを示す斜視図である。
【図９】図８に示す実施形態の第２アームを前方にスライドした状態を示す斜視図である。
【図１０】図８に示す実施形態の第１アームと第２アームとを分解した状態を示す斜視図である。
【図１１】カメラシュー装着部で支持アームを回転自在に支持する実施形態のカメラシュー延長装置を示す断面図である。
【図１２】図１１に示す実施形態のカメラシュー延長装置を分解した状態の断面図である。
【図１３】図１１に示す実施形態の支持アームとカメラシュー装着部との固定が解除された状態の断面図である。
【考案を実施するための形態】
【００１４】
図１及び図２に示すように、マイクロフォン装置２は、マイクロフォンユニット３と、取付け装置４とを備えている。マイクロフォンユニット３は、ケース５と、このケース５に取り付けられた左マイクロフォン６及び右マイクロフォン７とを備える。マイクロフォン装置２は、カメラシュー延長装置１１を介してデジタルカメラ８に着脱自在に装着される。ケース５には、デジタルカメラ８にマイクロフォン６，７からの音声信号を送信するための接続コード９が取り付けられている。この接続コード９の先端には、ピンジャック１０が取り付けられている。この実施形態では、一眼レフカメラを示しているが、コンパクトカメラでもよく、またマイクロフォンは１つでもよい。
【００１５】
左右マイクロフォン６，７は、円筒状のトランスデューサ室１３と、このトランスデューサ室１３内に収納され、音を音声信号（電気信号）に変換するトランスデューサ１４とから構成されている。トランスデューサ室１３には、周囲の音をトランスデューサ１４に到達させるための集音孔１３ａが形成されている。ケース５内には、マイクロフォンユニット３の駆動を制御する制御基板１６が配されており、左右マイクロフォン６，７の各トランスデューサ１４、接続コード９は、制御基板１６に接続されている。
【００１６】
デジタルカメラ８は、カメラ本体８ａと、その前面に着脱自在に取り付けたレンズ装置２０とを備えている。カメラ本体８ａには、周知のように、イメージセンサを含む撮像装置、画像処理装置、画像・音声記録装置等が設けられている。レンズ装置２０は、レンズ鏡筒２１と、この中に配したズームレンズ系２２とを有する。また、レンズ鏡筒２１内には、ズーミングするためのズームモータ、焦点調節するためのフォーカスモータ、手ブレ補正をするための手ブレ補正用モータが収納されている。なお、これらのモータの一部は、カメラ本体８ａに設けられていてもよい。
【００１７】
カメラ本体８ａの上面には、レリーズボタン２５、モード設定ダイヤル２６、カメラシュー２７等が設けられている。モード設定ダイヤル２６は、静止画撮影モード、動画撮影モード、音声付き動画撮影モード、取り出し可能なメモリカードに保存した画像や音声を再生する再生モード等を選択する。カメラシュー２７は、カメラシュー延長装置１１の脚部５１を保持する一対の折り曲げ片２７ａと、カメラシュー２７にフラッシュ装置（図示せず）が装着されているときに、フラッシュトリガー信号を伝達するための接点２７ｂとを有する。
【００１８】
カメラ本体８ａの前側には、複数の集音孔３１が形成されている。この集音孔３１の背後には、簡易な内蔵マイクロフォンが配置され、動画撮影時の音声の記録や、音声だけの記録を行うことができる。しかし、この内蔵マイクロフォンに伝わって、内蔵マイクロフォンが振動することで発生するノイズ音が入るため、高音質の録音はできない。
【００１９】
カメラ本体８ａの側面には、コネクタ３２が設けられている。このコネクタ３２には、接続コード９のピンジャック１０が挿入される。マイクロフォン装置２からの音声信号は、接続コード９を介して、カメラ本体８ａ内の画像・音声記録装置に送られる。なお、コネクタ３２に外部記録装置を接続し、この外部記録装置の入力端子にピンジャック１０を挿入して、接続するようにしてもよい。この場合、マイクロフォン装置２からの音声信号は、接続コード９を介して、外部記録装置に送られる。また、外部記録装置を介してカメラ本体８ａ内の画像・音声記録装置に送るようにしてもよいのはいうまでもない。
【００２０】
マイクロフォン装置２は、カメラシュー延長装置１１により着脱自在に保持される。カメラシュー延長装置１１は、支持アーム４１と、この支持アーム４１の後端部に取り付けられるカメラシュー装着部４２とから構成され、カメラシュー装着部４２は、デジタルカメラ８のカメラシュー２７に取り付けられる。支持アーム４１は、カメラシュー２７に取り付けられる後端よりも先端の方が高い位置になるように円弧状をしている。
【００２１】
図２及び図３に示すように、支持アーム４１は、外周部を除く内側部分が凹状に形成され、その凹部には、外周部を接続して強度を上げるための複数のリブ４１ａが形成されている。支持アーム４１の後端部には、取付ボス４１ｂが１８０°ピッチで２個形成され、それぞれネジ孔４１ｃが形成されている。また、支持アーム４１の右側面には、凸部４１ｄが形成され、この凸部４１ｄには、接続コード９を嵌め込むための切欠き４１ｅが形成されている。
【００２２】
支持アーム４１の先端部には、取付け装置４のカメラシュー装着部６２を取り付けるためのシュー４５が形成されている。このシュー４５は、フック部４５ａと、このフック部４５ａの下方に形成され、カメラシュー装着部６２を受け止める受け部４５ｂとから構成されている。
【００２３】
図４〜図７に示すように、カメラシュー装着部４２は、カメラシュー２７に装着される脚部５１と、この脚部５１との間でカメラシュー２７を挟持する挟持リング５２と、脚部５１及び支持アーム４１に取り付けられる取付台５３とからなる。
【００２４】
脚部５１は、カメラシュー２７の折り曲げ片２７ａに挿入される板部５１ａと、上部の外周に雄ネジが形成された筒部５１ｂとからなる。板部５１ａには、ビス挿通孔５１ｃが１８０°ピッチで２個形成されている。筒部５１ｂには、ビス挿通孔５１ｃに連通する２個の挿入孔５１ｄが形成されている。
【００２５】
挟持リング５２は、内周面に筒部５１ｂの雄ネジが螺合する雌ネジが形成されている。また、挟持リング５２の外周面には、挟持リング５２を指で回転操作する際の引っ掛けとなるローレットが全周に亘って形成されている。
【００２６】
取付台５３は、本体部５３ａと、この本体部５３ａの中央から下方に突出し、筒部５１ｂに挿入される円筒部５３ｂと、この円筒部５３ｂの外周に形成され、挿入孔５１ｄに挿入される２個の取付ボス５３ｃとからなる。２個の取付ボス５３ｃには、ネジ孔５３ｄが形成されている。
【００２７】
本体部５３ａには、ボス５３ｅが形成されている。ボス５３ｅは１８０°ピッチで２個形成され、それぞれビス挿通孔５３ｆが形成されている。本体部５３ａの下面には、筒部５１ｂの先端が挿入される凹部５３ｇが形成されている。円筒部５３ｂは、筒部５１ｂ内に挿入され、取付ボス５３ｃは、挿入孔５１ｄに挿入されている。この状態で、ビス５６が板部５１ａのビス挿通孔５１ｃを通して取付ボス５３ｃのネジ孔５３ｄにビス締めされ、脚部５１が取付台５３に固定される。そして、ビス５７がビス挿通孔５３ｆを通して支持アーム４１のネジ孔４１ｃにビス締めされ、取付台５３が支持アーム４１に固定される。
【００２８】
図５に示すように、マイクロフォンユニット３は、取付け装置４を介してカメラシュー延長装置１１に着脱自在に保持される。取付け装置４は、ケース５の下方に取り付けられたダンパ収納部６１と、このダンパ収納部６１の下方に取り付けられるカメラシュー装着部６２とを備える。このカメラシュー装着部６２は、カメラシュー装着部４２と同様に構成され、支持アーム４１のシュー４５に着脱自在に装着される。
【００２９】
ダンパ収納部６１は、円筒部の内部に、弾性材料例えばゴム製のダンパを収納している。ダンパは、例えば２個設けられており、これらのダンパの弾性により、マイクロフォンユニット３に振動が伝達されるのを抑制している。
【００３０】
次に、カメラシュー延長装置１１の作用について説明する。デジタルカメラ８で音声付き動画撮影を行うときは、カメラシュー延長装置１１を、カメラシュー２７に取り付ける。この際には、カメラシュー装着部４２の板部５１ａをカメラシュー２７に挿入した後、挟持リング５２を回転させて下方に移動させることで、挟持リング５２と板部５１ａとの間で折り曲げ片２７ａを挟持する。同様に、マイクロフォン装置２を、カメラシュー延長装置１１のシュー４５に取り付ける。この際には、カメラシュー装着部６２の挟持リングと板部との間でシュー４５のフック部４５ａを挟持する。
【００３１】
マイクロフォン装置２をカメラシュー延長装置１１に装着した後に、接続コード９のピンジャック１０を、デジタルカメラ８のコネクタ３２に接続する。マイクロフォンユニット３が接続されている場合、カメラ本体８ａ内の内蔵マイクロフォンはＯＦＦ状態となり、マイクロフォンユニット３による録音が行われる。マイクロフォンユニット３は、デジタルカメラ８からの電力供給を受けて駆動される。なお、電池を内蔵して駆動してもよい。
【００３２】
モード設定ダイヤル２６を操作してデジタルカメラ８を音声付き動画撮影モードに切り換えてから、レリーズボタン２５を１回押して操作して動画撮影を開始する。動画撮影が開始されると、レンズ装置２０を通った撮影光は、カメラ本体８ａ内のイメージセンサに入射する。このイメージセンサにより、周知のように動画が撮影され、その画像データがメモリカードに記録される。
【００３３】
動画撮影と同時にシーンの音声は、マイクロフォン６，７に入り、そのトランスデューサ１４で音声信号に変換される。この音声信号は、制御基板１６でデジタル変換されてから、接続コード９を介してカメラ本体８ａに送信される。この音声データは、動画の画像データと対応付けられて、メモリカードまたは外部記録装置の記録媒体に記録される。
【００３４】
音声付き動画撮影中に、ズーミング、フォーカシング、手ブレ補正が連続的に行われる。この際に、複数のモータが作動するため、作動音や振動が発生する。マイクロフォン装置２は、カメラシュー延長装置１１を介してカメラ本体８ａに取り付けられているので、マイクロフォン６，７がカメラ本体８ａから離れている。これにより、マイクロフォン６，７が作動音を集音することはない。この結果、高品質な録音を行うことができる。
【００３５】
また、モータの振動は、カメラ本体８ａ、カメラシュー延長装置１１を介して、マイクロフォン装置２に伝わろうとするが、ダンパ収納部６１内の弾性を有するダンパで吸収される。
【００３６】
音声付き動画撮影を終了した場合、あるいは、デジタルカメラ８を保管する場合は、挟持リング５２を緩めてから、脚部５１をカメラシュー２７から外せば、カメラシュー延長装置１１をデジタルカメラ８から分離することができる。同様に、マイクロフォン装置２もカメラシュー延長装置１１から分離することができる。
【００３７】
なお、図８〜図１０に示すように、第１アーム８１と、この第１アーム８１に前後方向にスライド自在に取り付けられる第２アーム８２とを備える支持アーム８０を用いてもよい。第１アーム８１の両内側面には、円筒状の突起８１ａが形成されている。第２アーム８２の両側面には、突起８１ａが挿入される長孔状のスライド孔８２ａが形成されている。このスライド孔８２ａは、突起８１ａとほぼ同じ径の円弧部８２ｂと、突起８１ａよりも小さい細径部８２ｃとが交互に複数形成されている。突起８１ａが円弧部８２ｂに挿入されると、第２アーム８２は固定される。なお、上記実施形態と同様に、第２アーム８２には、シュー４５が形成され、第１アーム８１には、カメラシュー装着部４２が取り付けられている。
【００３８】
固定された第２アーム８２を強い力でスライドさせると、円筒状の突起８１ａが変形して円弧部８２ｂから抜け出し、突起８１ａが次の円弧部８２ｂに挿入される位置まで第２アーム８２をスライドさせると、再び突起８１ａが円弧部８２ｂに挿入され、第２アーム８２は固定される。
【００３９】
また、図１１〜図１３に示すように、支持アーム９１と、この支持アーム９１に回転自在に取り付けられるカメラシュー装着部９２とから構成されるカメラシュー延長装置９０を用いてもよい。支持アーム９１の後端部には、２個のフック部９１ａと、クリック凹部９１ｂとが形成されている。クリック凹部９１ｂは、複数、例えば３０°ピッチで１２個形成されている。カメラシュー装着部９２は、上記実施形態と同様に、脚部９５と、挟持リング９６と、取付台９７とからなる。取付台９７の本体部９７ａには、フック部９１ａが挿入される取付孔９７ｂと、クリック凸部９７ｃとが形成されている。クリック凸部９７ｃは、１８０°ピッチで２個形成されている。フック部９１ａが取付孔９７ｂに挿入されると、支持アーム９１は、カメラシュー装着部９２に回転自在に取り付けられ、クリック凸部９７ｃをクリック凹部９１ｂに嵌入することで、支持アーム９１は固定される。
【００４０】
固定された支持アーム９１を強い力で回転させると、図１３に示すように、本体部９７ａのクリック凸部９７ｃが形成された部分が変形し、クリック凸部９７ｃがクリック凹部９１ｂから抜け出して固定が解除される。クリック凸部９７ｃが、次のクリック凹部９１ｂに対向する位置まで支持アーム９１を回転させると、再びクリック凸部９７ｃがクリック凹部９１ｂに嵌入され、支持アーム９１は固定される。
【００４１】
なお、図１１〜図１３に示すものと同じように、マイクロフォン装置のカメラシュー装着部を支持アームで回転自在に支持してもよい。この場合、マイクロフォン装置の脚部にクリック凸部を形成し、支持アームのフック部にクリック凹部を形成し、フック部で脚部を回転自在に支持する構成となる。フック部と受け部との間の脚部が挿入される空間は、脚部が回転可能となるように、脚部よりも一回り大きく形成される。
【００４２】
また、支持アーム、マイクロフォン装置のカメラシュー装着部を回転自在に支持する構造を、図８〜図１０に示す実施形態に実施してもよい。
【００４３】
さらに、フラッシュ装置をカメラシュー延長装置の支持アームに取り付けてもよい。この場合、支持アームの内部にコードを通して、フラッシュ装置にフラッシュトリガー信号を伝達する。
【００４４】
また、上記実施形態では、マイクロフォン装置のカメラシュー装着部を、カメラシューの１つであるホットシューに装着しているが、電気的な接続を行わないアクセサリシューに装着してもよい。
【００４５】
さらに、動画撮影を行わずに、マイクロフォン装置を用いて録音だけをすることもできる。この場合、録音データのみがデジタルカメラ内のメモリカードにまたは外部記録装置の記録媒体に記録される。
【符号の説明】
【００４６】
２  マイクロフォン装置
８  デジタルカメラ
８ａ  カメラ本体
１１，９０  カメラシュー延長装置
２７  カメラシュー
４１，８０，９１  支持アーム
４２  カメラシュー装着部
４５  シュー
６２  カメラシュー装着部
８１  第１アーム
８２  第２アーム
【図１】
0003187195.tif 000003
【図２】
0003187195.tif 000004
【図３】
0003187195.tif 000005
【図４】
0003187195.tif 000006
【図５】
0003187195.tif 000007
【図６】
0003187195.tif 000008
【図７】
0003187195.tif 000009
【図８】
0003187195.tif 000010
【図９】
0003187195.tif 000011
【図１０】
0003187195.tif 000012
【図１１】
0003187195.tif 000013
【図１２】
0003187195.tif 000014
【図１３】
0003187195.tif 000015